(57)【要約】      （修正有）【課題】組み立てが容易で排熱効率もよいヒートプレート構成を備える排熱器を提供する。【解決手段】主にヒートプレート１、固定板２及び一本以上のヒートチューブ３から構成され、ヒートチューブ３の排熱端３１は複数個の排熱フィン４に緊密に貫通結合し、ヒートプレート１は真空腔室を備え、かつ液体の水で充満された中空の熱伝導体であり、ヒートチューブ３の吸熱端３２はヒートプレート１の表面に隣接して貼り付けられると共に、更に固定板２をもってそれを覆い被して溶接結合されることを特徴とする。そうすると、結晶体熱源と接触することができ、かつ順番にヒートプレート１、ヒートチューブ３及び排熱フィンモジュール４０を通って快速排熱の効果を達成することができ、全体的構成は構造が簡単で組み立てが容易等長所を備える。【選択図】図１
0003144417.tif 000002
【実用新案登録請求の範囲】
【請求項１】
ヒートプレート、固定板、少なくとも１本のヒートチューブを備える排熱器であって、
前記ヒートプレートは上蓋と下蓋とにより完全に閉鎖されることで、真空腔室を有すると共に、液態の水で充満し中空の熱伝導体を形成し、
前記固定板は覆い被さりとの組み合わせに用いられ、並びに前記ヒートチューブの吸熱端に溶接結合され、
前記ヒートチューブは両端が閉鎖された金属の排熱チューブであり、
上記構成により、前記各ヒートチューブの吸熱端は前記ヒートプレートの上蓋表面に近隣接触し、更に前記固定板をもって前記ヒートチューブの吸熱端を覆い被さり溶接し、前記ヒートチューブの吸熱端と前記ヒートプレートの上蓋を重ね合せて接触したことを特徴とする、ヒートプレート構成を備える排熱器。
【請求項２】
前記ヒートチューブの排熱端は、複数個の排熱フィンに緊密に貫通して結合されたことを特徴とする、請求項１に記載のヒートプレート構成を備える排熱器。
【請求項３】
前記ヒートプレートの面積は下蓋より大きく、上蓋の残った覆い被さり部分には複数個のリベット孔が設けられてあることを特徴とする、請求項１に記載のヒートプレート構成を備える排熱器。
【請求項４】
前記固定板の両側には、それぞれのリベット孔が設けられてあることを特徴とする、請求項１に記載のヒートプレート構成を備える排熱器。
【請求項５】
前記固定板は、覆い被さるヒートチューブの数によって一つ以上の凹部及び中央に位置される弾性突起部を備え、それをもって方向の違う二組のヒートチューブを区分け覆い被さり、同時に締め付け結合を形成することを特徴とする、請求項１に記載のヒートプレート構成を備える排熱器。
【請求項６】
前記ヒートチューブの吸熱端は、扁平の形状を呈することを特徴とする、請求項１に記載のヒートプレート構成を備える排熱器。
【請求項７】
前記ヒートチューブは、く字形の湾曲したチューブの形態を呈し、かつその一端側には更に平らに折られて吸熱端を形成することを特徴とする、請求項１に記載のヒートプレート構成を備える排熱器。
【請求項８】
一本以上の前記ヒートチューブは、二組のく字形ヒートチューブと対向して同時にヒートプレートに固定結合されることを特徴とする、請求項１に記載のヒートプレート構成を備える排熱器。
【請求項９】
前記ヒートチューブの排熱端に貫通して結合する複数個の排熱フィンは排熱フィンモジュールを構成し、かつ前記排熱フィンモジュールには一組のファンが取り付けられてあることを特徴とする、請求項２に記載のヒートプレート構成を備える排熱器。
【請求項１０】
前記ヒートチューブはＵ字形の曲がりチューブの形態を呈し、かつＵ字形の曲がり箇所には吸熱端を形成することを特徴とする、請求項１に記載のヒートプレート構成を備える排熱器。
【請求項１１】
前記ヒートチューブの二つのチューブアームはそれぞれ緊密な結合方式をもって複数個の排熱フィンから構成される排熱フィンモジュールに貫通して結合することを特徴とする、請求項１０に記載のヒートプレート構成を備える排熱器。
【考案の詳細な説明】
【技術分野】
【０００１】
本考案は排熱器の構造設計に係り、特に少なくてヒートプレート、固定板及び一本以上のヒートチューブから構成されると共に、ヒートチューブの排熱端を複数個の排熱フィンに緊密に貫通して結合することができるヒートプレート構成を備える排熱器に関する。
【背景技術】
【０００２】
従来のヒートチューブを備える排熱器は主として底座、一本以上のヒートチューブ及び複数個の排熱フィン（それは排熱フィンモジュールに重ね合わせられるものである）から構成され、底座は使われる金属の違いによって「銅底」または「アルミ底」と称され、ヒートチューブと底座の多くでは溶接結合が採用され、それは錫ペーストまたは選定された接着剤を使って溶接結合の媒介にしなければならず（例えば、ヒートチューブと底座がそれぞれ違う材質である場合、事前にニッケルめっき処理を行わなければならない。）、そのために全体的組み合わせと取り付けは複雑で不便であり、且つコストの負担が重くなり、不合格率が高く、底座とヒートチューブの伝熱効果も低くなる。
【考案の開示】
【考案が解決しようとする課題】
【０００３】
本考案の主な目的はヒートプレート構成を備える排熱器の構造設計を提供することであり、それは少なくてヒートプレート、固定板及び一本以上のヒートチューブから構成され、ヒートプレートは真空腔室を備え、並びに液態の水で充満された中空の熱伝導体であり、ヒートチューブの吸熱端はヒートプレートの表面に隣接して貼り付けられ、更に固定板をもってヒートチューブの吸熱端を覆い被して溶接結合され、それにより、全体的構造が更に簡略化され、組み立てがより容易になり、排熱効率もよくなる。
【０００４】
本考案の次の目的は、ヒートチューブの排熱端が最も経済的な緊密結合方式を採用して複数個の排熱フィンを貫通結合し、複数個の排熱フィンの隣接重ね合わせを用いて排熱フィンモジュールが形成され、結晶体熱源は順番にヒートプレート、ヒートチューブ及び排熱フィンモジュールを通って迅速に排熱効果が達成され、必要なときは前記排熱フィンモジュールの選定位置にファンを選択取り付け、排熱を手伝って排熱効果を高めるヒートプレート構成を備える排熱器の構造設計を提供することである。
【０００５】
本考案の別の目的は、ヒートチューブの吸熱端は扁平の形状に現れてヒートプレートの表面と良好な貼り付け結合を形成するヒートプレート構成を備える排熱器の構造設計を提供することである。
【０００６】
本考案のまた一つの目的は、ヒートチューブは、く字形の湾曲したチューブの形態を呈し、かつそれの一端側は更に平らに折られて吸熱端を形成し、それをもってヒートプレートと重ねて接触し、または更に進んで二組のく字形ヒートチューブを対向位置をもってヒートプレートに固定結合し、並びにそれぞれ排熱端で排熱フィンモジュールを緊密配合によって貫通結合し、または更に進んで隣接する二つの排熱フィンモジュールにファンを選択的に取り付け、排熱を手伝って排熱効率を高めることのできるヒートプレート構成を備える排熱器の構造設計を提供することである。
【０００７】
本考案の更に一つの目的は、ヒートチューブはＵ字形に現れる湾曲したチューブの形態であり、かつＵ字形の湾曲個所に吸熱端が形成されてヒートプレートと重ねて接触し、または更にＵ字形ヒートチューブの二つのチューブアームにそれぞれ緊密配合方式をもって排熱フィンモジュールを貫通結合し、または更に進んで二つの排熱フィンモジュールの間にファンを選択的に取り付け、排熱を手伝って排熱効率を高めるヒートプレート構成を備える排熱器の構造設計を提供することである。
【課題を解決するための手段】
【０００８】
本発明に係るヒートプレート構成を備える排熱器は主にヒートプレート、固定板及び一本以上のヒートチューブから構成され、ヒートチューブの排熱端は複数個の排熱フィンを緊密配合によって貫通結合し、ヒートプレートは真空腔室を備え、並びに液態の水で充満された中空の熱伝導体であり、ヒートチューブの吸熱端はヒートプレートの表面に隣接して貼り付けられ、更に固定板をもってヒートチューブの吸熱端を覆い被して溶接結合されることを特徴とするものである。
【考案の効果】
【０００９】
本考案によれば、排熱器のヒートプレートが結晶体熱源と接触することができ、かつ順番にヒートプレート、ヒートチューブ及び排熱フィンモジュールを通って快速排熱の効果を達成することができ、これにより、全体的構成は構造が簡単で組み立てが容易等長所を備えるという効果を奏する。
【考案を実施するための最良の形態】
【００１０】
図1と図2に示すように、本考案に係る「ヒートプレート構成を備える排熱器」の第一実施例は、主としてヒートプレート1、固定板2及び一本以上のヒートチューブ3から構成され、ヒートチューブ3の排熱端31は緊密配合方式によって複数個の排熱フィン4に貫通して結合する（図3を参照）。
【００１１】
ヒートプレート1は、図2に示すように、平らな板状の上蓋11と内凹状の下蓋12を含む完全に閉鎖した結合で、ヒートプレート1はそれによって真空腔室13を備え、並びに液態の水で充満されて中空の熱伝導体を形成し（図3を参照）、かつ上蓋11の面積は適当に下蓋12より大きく、上蓋11の余った覆い部分には複数個のリベット孔111が設けられる。
【００１２】
固定板2はヒートチューブ3の吸熱端32との組み合わせ覆い被さりに用いられ、並びに溶接結合の板に供し、両側にはそれぞれ上蓋11のリベット孔111と対応して鋲打ちされるためのリベット孔21が設けられ、固定板2は覆い被さるヒートチューブ3の数の多少によって一つ以上の凹部22及び中央に位置する弾性突起部23を備え、それによって固定板2は方向の違う二組のヒートチューブ3を区分け覆い被さって同時溶接の結合を形成することができ、もちろん、実施時に数個一組の同一方向のヒートチューブ3だけが設置された場合、固定板2は一つだけの凹部22を備えればそれで充分である。
【００１３】
一本以上のヒートチューブ3、それは周知の部材で、両端が閉鎖されかつ極めてよい熱伝導特性を備えた金属の排熱チューブであり、各ヒートチューブ3の吸熱端32はヒートプレート1の上蓋11の表面に隣接して接触し、更に固定板2をもってヒートチューブ3の吸熱端32に溶接結合を施して覆い被さり固定し、ヒートチューブ3の吸熱端32とヒートプレート1の上蓋11はよい貼り付け接触の状態を表す。
【００１４】
前記ヒートチューブ3の排熱端31は必要によって複数個の排熱フィン4を貫通結合してもよく（図3に示すように、各排熱フィン4にはすでにヒートチューブ3の貫通結合に用いられる貫通孔41が予め設けられてある。）、前記ヒートチューブ3の排熱端31と各排熱フィン4は最も経済的な緊密配合方式を採用して貫通結合されるほか、もちろん伝統的溶接方式を用いて貫通結合してもよいが、緊密配合の貫通結合がよりよい実施形態であり、それの目的は複数個の排熱フィン4を用いて隣接に重ね合わして排熱フィンモジュール40を形成し、使用時は結晶体熱源を順番にヒートプレート1、ヒートチューブ3及び排熱フィンモジュール40に通過させて快速排熱の効果が達成することである。
【００１５】
前記ヒートチューブ3の吸熱端32は扁平の形状に実施され、ヒートプレート1の上蓋11の表面と良好な貼り付け接触を形成することができる。また、前記複数個の排熱フィン4から構成される排熱フィンモジュール40の選定された位置にはファンが取り付けられ、排熱を助けて排熱効果を高めることができる。
【００１６】
上記第一実施例に使用されるヒートチューブ3は、く字形の湾曲形態であり、かつ一端側は更に平らに折られて吸熱端32を形成し、それによってヒートプレート1の上蓋11表面と緊密に貼り付け接触し、または同実施例図に示すように、二組のく字形ヒートチューブ3を対向位置をもって同時にヒートプレート1に固定結合し、かつ個別に排熱端31に於いて複数個の排熱フィン4から構成された排熱フィンモジュール40を緊密配合（または溶接）によって貫通結合し、または更に近隣する二つの排熱フィンモジュール40にファン5を取り付け（図4を参照）、排熱を助けて排熱効率を高めることができる。
【００１７】
上述固定板2の中央に設けられる弾性突起部23の目的は留め具6の留め結合に合わし、本案の排熱器が特定結晶体のソケット(socket)に堅固な取り付け定位が形成することである。もちろん留め具6の形態はこの一種に限らない。
【００１８】
図5乃至図7に示すように、本考案に係る「ヒートプレート構成を備える排熱器」の第二実施例もヒートプレート1、固定板2及び一本以上のヒートチューブ3aから構成され、かつヒートチューブ3aの排熱端31aも緊密配合（または溶接）によって複数個の排熱フィン4aを貫通結合することができる。ただしヒートチューブ3aはU字形の湾曲形態であり、かつU字形の湾曲部にヒートプレート1との重ね接触に用いられる吸熱端32aが形成され、またはU字形ヒートチューブ3aの二つのチューブアーム33aにそれぞれ複数個の排熱フィン4 aから構成された排熱フィンモジュール40aを緊密配合（または溶接）によって貫通結合し（図7と図8を参照）、または更に複数個の排熱フィン4aから構成された二つの排熱フィンモジュール40aの間にファン5aを取り付け（図9を参照）、排熱を助けて排熱効率を高めることができる。
【００１９】
同様に、第二実施例に於いて、固定板2中央の弾性突起部23は別の形態の留め具6aに合わして留め結合を完成し（図9を参照）、本考案の排熱器は別の結晶体のソケットとの堅固な取り付け定位に用いられる。
【００２０】
前述したように、前記ヒートチューブ3と複数個の排熱フィン4または4aとの結合は緊密または溶接等方式を採用して固定結合を完成してもよく、かつ排熱フィン4または4aの大きさ、形状または数の多少も制限する必要がなく、もちろん、ヒートチューブ3の排熱端31と各排熱フィン4に緊密配合の結合方式が採用された場合、現在に於いて、それは最も経済的で、便利かつ迅速な実施方法である。
【００２１】
上述した第一及び第二実施例は本考案の好適な実施形態の説明であり、それは本考案の技術範囲を限定するものではなく、およそ同等効果の応用または上述した技術的思想に基づいて行った簡易や均等な変更または置換は、すべて本実用新案登録請求の範囲に属するものとする。
【図面の簡単な説明】
【００２２】
【図１】本考案の第一実施例の組み合わせ立体図である。
【図２】本考案の第一実施例の分解立体図である。
【図３】本考案の第一実施例の組み合わせ断面図である。
【図４】本考案の第一実施例に更にファンを取り付けた組み合わせ立体図である。
【図５】本考案の第二実施例の組み合わせ立体図である。
【図６】本考案の第二実施例の分解立体図である。
【図７】本考案の第二実施例の組み合わせ断面図である
【図８】本考案の第二実施例の組み合わせ側面図である。
【図９】本考案の第二実施例に更にファンを取り付けた組み合わせ立体図である。
【符号の説明】
【００２３】
1         ヒートプレート
2         固定板
3、3a     ヒートチューブ
31、31a   排熱端
32、32a   吸熱端
4、4a     排熱フィン
41        貫通孔
40、40a   排熱フィンモジュール
11        上蓋
12        下蓋
13        真空腔室
111、21   リベット孔
22        凹部
23        弾性突起部
5、5a     ファン
6、6a     止め具
33a       チューブアーム
【図１】
0003144417.tif 000003
【図２】
0003144417.tif 000004
【図３】
0003144417.tif 000005
【図４】
0003144417.tif 000006
【図５】
0003144417.tif 000007
【図６】
0003144417.tif 000008
【図７】
0003144417.tif 000009
【図８】
0003144417.tif 000010
【図９】
0003144417.tif 000011